(57)【要約】【課題】  外観は通常の傘と変わりがなく、日常において違和感なく携帯できる発光傘を提供する。【解決手段】  本発明の発光傘１は、シート部１４の外周部１４ａを折り返して形成される筒状部１５ａが前記シート部１４の外縁１５に沿って設けられ、可撓性を有する紐状の発光体１６が筒状部１５ａに挿通されて取り付けられている。【選択図】      図２
2005304591.tif 000002
【特許請求の範囲】
【請求項１】
軸部と、この軸部の下端に装着された把持部と、前記軸部の上端に揺動可能かつ放射状に取り付けられた複数の骨部と、前記複数の骨部に張り付けられたシート部とを備え、
エレクトロルミネッセンスによって発光しかつ可撓性を有する紐状の発光体が前記シート部の外縁に沿って取り付けられているとともに、
前記把持部には前記発光体に給電し発光させるための電源部を備えた発光傘であって、
前記シート部の外周部を折り返して形成される筒状部が前記シート部の外縁に沿って設けられ、
前記発光体は前記筒状部に挿通されて取り付けられていることを特徴とする発光傘。
【請求項２】
前記筒状部の長手方向側面には、前記発光体を露出する複数の孔を設けた請求項１記載の発光傘。
【請求項３】
前記筒状部は透明である請求項１記載の発光傘。
【発明の詳細な説明】
【技術分野】
【０００１】
本発明は、発光傘に関する。
【背景技術】
【０００２】
従来、第三者からの視認性向上や、装飾等を目的として、骨部や露先などに発光体を取り付け、使用時にはそれらを発光させるように構成された傘が提案されている。（例えば、特許文献１，２参照）。
【０００３】
【特許文献１】特開２００２−１７７０２８号公報（第３頁）
【特許文献２】実用新案登録第３０４６６７１号公報（第４頁）
【発明の開示】
【発明が解決しようとする課題】
【０００４】
しかしながら、上記従来例では、発光体が外部に露出して取り付けられており、前記発光体を発光させずかつ当該傘を閉じて使用していない状態においても、傘の外部に取り付けられた発光体が目立ってしまい、デザイン的に見劣りすることから、日常において当該傘を携帯し難いことがあった。
【０００５】
本発明はこのような事情に鑑みなされたものであり、その外観は通常の傘と変わりがなく、日常において違和感なく携帯できる発光傘の提供を目的とする。
【課題を解決するための手段】
【０００６】
上記目的を達成するため、本発明では、軸部と、この軸部の下端に装着された把持部と、前記軸部の上端に揺動可能かつ放射状に取り付けられた複数の骨部と、前記複数の骨部に張り付けられたシート部とを備え、エレクトロルミネッセンスによって発光しかつ可撓性を有する紐状の発光体が前記シート部の外縁に沿って取り付けられているとともに、前記把持部には前記発光体に給電し発光させるための電源部を備えた発光傘であって、前記シート部の外周部を折り返して形成される筒状部が前記シート部の外縁に沿って設けられ、前記発光体は前記筒状部に挿通されて取り付けられていることを特徴としている。
【０００７】
上記のように構成された発光傘は、前記発光体を前記筒状部に挿通して取り付けたので、外部から目立つこと無く前記発光体を一体的に取り付けることができる。また、前記発光体は可撓性を有しているので当該傘を無理なく開閉することができ、閉じた状態でも目立たないようにできる。従って、使用していない状態での当該発光傘の外観は通常の傘と変わりがないものとできる。
【０００８】
また、前記筒状部の長手方向側面には前記発光体を露出する複数の孔を設けてもよい。この場合、前記発光体を発光させた場合、前記外縁における前記発光体が露出していない部分と、前記発光体が露出している前記露出孔の部分との間で輝度に差が現れ、前記外縁は前記露出孔の形状が模様のように現れて発光する。さらに、前記露出孔から放たれる光は、前記発光体の発光色が略そのまま現れるので、前記発光体の発光色を選択することでよりカラフルな模様を現出できる。従って、当該発光傘の装飾性が高められる。
【０００９】
また、前記筒状部は透明であってもよい。この場合、前記筒状部に挿通された前記発光体の光は、前記筒状部によって減衰することなく前記発光体の発光色が略そのまま外部に放たれる。従って、前記外縁を輝度が高い状態で発光させることができ、当該発光傘を使用する際、第三者からの視認性をより向上させることができる。
【発明の効果】
【００１０】
以上のように、本発明の発光傘によれば、発光体を外縁の筒状部に挿通して取り付けたので、閉じた状態ではその外観は通常の傘と変わりがなく、日常において違和感なく携帯できる発光傘とすることができる。
【発明を実施するための最良の形態】
【００１１】
次に、本発明の好ましい実施形態について添付図面を参照しながら説明する。図１は、本発明の第一の実施形態に係る発光傘を示した外観図である。
図１に示す発光傘１は、軸部１１とこの軸部１１の下端に装着された把持部１２と、軸部１１の上端に揺動可能かつ放射状に取り付けられた複数の骨部１３と、略円形に形成されるとともに前記複数の骨部１３の上方より張り付けられたシート部１４とを備えており、公知の長傘としての構成を有している。
【００１２】
シート部１４は、例えば合成繊維を用いて形成されており、複数の骨部１３を揺動することによって開閉可能にされている。シート部１４の材質としては、合成繊維の他、天然繊維などの布材や、フィルム状又はシート状のビニル樹脂など、公知の材質のもので形成することができる。
【００１３】
図２は、図１中破線Ａで囲まれた部分であるシート部１４の外縁１５の径方向断面図である。シート部１４の外縁１５は、シート部１４の外周部１４ａを折り返して縫製（袋縫い）することで筒状部１５ａが形成されている。この筒状部１５ａは、外縁１５の略全周に渡って設けられている。そして、この筒状部１５ａの内部には、一本の紐状の発光体１６が外縁１５の略全周に渡って挿通されている。
【００１４】
この発光体１６は、給電されるとエレクトロルミネッセンス（Electroluminescence）によりその長手方向側面部の略全面が発光するように構成されており、その発光色は、さまざまな色から選択することができる。また、発光体１６は、筒状部１５ａの内部に挿通されているので、略全面が外部に露出していない状態であるが、発光した時の光が筒状部１５ａを透過して外部へ放てるように、発光体１６の発光色や輝度、当該合成繊維の厚み等は設定されている。また、この発光体１６は高い可撓性を有しており、シート部１４の開閉に伴って外縁１５が張ったり弛んだりしても、その変形に十分追従できるようになっている。発光体１６の長手方向両端部には、その給電のための端子（図示せず）が設けられている。この発光体１６の長手方向両端部は、発光体１６へ給電するリード線１７が配設された骨部１３ａの先端部と外縁１５とが交わっている図中破線Ｂの部分に位置するようにされており、前記端子はリード線１７と結線されている。
【００１５】
また、本形態では筒状部１５ａには発光体１６を一本挿通したが、複数本束ねて挿通してもよいし、外縁１５の周方向長さより短い発光体１６を用いて外縁１５の一部に挿通し、これらを複数本用いて外縁１５の全周が発光できるようにしてもよい。
【００１６】
図３は、リード線１７が配設された骨部１３ａの長手直交方向の断面図である。図のように骨部１３ａは断面コの字状に成形された棒状体であり、例えば金属製の細長い板状材を断面コの字状に成形し棒状体としている。この骨部１３ａのコの字状断面の内側には、上述したリード線１７が外部からは目立たないように配設されている。
【００１７】
図１に戻って、リード線１７は、骨部１３ａの先端部からその取り付け部分まで配設され、さらに軸部１１の内部に挿通され、把持部１２の内部に格納されている電源部１８に接続されている。電源部１８は、発光体１６への給電をオンオフする電源スイッチと、発光体１６への給電を制御するインバータと、電源としてのリチウム電池等とを備えており（いずれも図示せず）、発光体１６への給電を把持部１２で制御できるようにされている。
【００１８】
この発光傘１は、把持部１２を持ち、発光傘１を開くとともに、把持部１２に配置されている電源部１８の電源スイッチを操作してオンに切り替えることにより、電源部１８からリード線１７を介して外縁１５の筒状部１５ａに挿通された発光体１６に給電される。発光体１６は給電されることにより発光し、外縁１５を略全周に渡って発光させる。これによって、例えば雨の日の夜間に発光傘１を使用したとしても、第三者からの視認性を向上させることができ、使用者は安全に歩行できる。
【００１９】
またこのとき、前記筒状部１５ａは、シート部１４の材質から成っているが、例えば、少なくとも筒状部１５ａが透明となるようにシート部１４の材質を構成してもよい。この場合、筒状部１５ａに挿通された発光体１６の光は、筒状部１５ａによって減衰することなく発光体１６の発光色が略そのまま外部に放たれる。従って、外縁１５を輝度が高い状態で発光させることができ、発光傘１を使用する際、第三者からの視認性をより向上させることができる。
【００２０】
上記のように構成された本実施形態に係る発光傘１によれば、発光体１６を筒状部１５ａに挿通して取り付けたので、外部から目立つこと無く発光体１６を一体的に取り付けることができる。また、発光体１６は可撓性を有しているので発光傘１を無理なく開閉することができ、閉じた状態でも目立たないようにできる。従って、使用していない閉じた状態での発光傘１の外観は通常の傘と変わりがなく、日常において違和感なく携帯することができる。
【００２１】
図４は、本発明の第二の実施形態に係る照明装置付き発光傘１の外縁１５の拡大図である。本実施形態と第一の実施形態との主な相違点は、外縁１５の筒状部１５ａの長手方向側面に発光体１６を露出するための複数の円形の露出孔１５ａ１を設けた点である。その他の点については、第一の実施形態と同様なので説明を省略する。
【００２２】
露出孔１５ａ１は、シート部１４の外径方向に向かって開口しており、外縁１５の周方向に沿って等間隔に設けられている。このように構成された発光傘１の発光体１６を発光させた場合、外縁１５における発光体１６が露出していない部分と、発光体１６が露出している露出孔１５ａ１の部分との間で輝度に差が現れ、外縁１５は露出孔１５ａ１の形状が模様のように現れて発光する。
【００２３】
さらに、露出孔１５ａ１から放たれる光は、発光体１６の発光色が略そのまま現れるので、発光体１６の発光色を選択することでよりカラフルな模様を現出できる。従って、夜間に発光傘１を使用する際には、第三者からの視認性をより向上させることができるとともに、発光傘１の装飾性が高められる。
なお、本形態では露出孔１５ａ１は円形としたが、例えば、ハート型や三日月型等の円形以外の異型形状としてもよい。この場合、外縁１５は、前記のような異型形状の模様が現れつつ発光するので、発光傘１の装飾性がより高まる。
【００２４】
尚、本発明の発光傘は、上記実施形態に限定されるものではない。例えば、上記実施形態のような長傘に限らず、折りたたみ傘にも適用できる。また、シート材１４の材質や、筒状部１５ａの態様、露出孔１５ａ１の形状、発光体１６の色や形状等は、本発明の趣旨に基づいて適宜変更することができる。
【図面の簡単な説明】
【００２５】
【図１】本発明の第一の実施形態に係る発光傘を示した外観図である。
【図２】図１中破線Ａで囲まれた部分であるシート部の外縁の径方向断面図である。
【図３】リード線が配設された骨部の長手直交方向の断面図である。
【図４】本発明の第二の実施形態に係る発光傘の外縁の拡大図である。
【符号の説明】
【００２６】
１      発光傘
１１    軸部
１２    把持部
１３，１３ａ  骨部
１４    シート部
１４ａ  外周部
１５    外縁
１５ａ  筒状部
１５ａ１  露出孔（孔）
１６    発光体
１８    電源部
【図１】
2005304591.tif 000003
【図２】
2005304591.tif 000004
【図３】
2005304591.tif 000005
【図４】
2005304591.tif 000006